(57)【要約】【課題】  フロアノイズとキャリア近傍ノイズを同時に改善でき、良好な位相雑音特性を備えた水晶発振器を提供する。【解決手段】  コルピッツ発振回路を備え、水晶振動子Ｘの一端が発振用トランジスタＴｒ１のベースに接続され、他端が出力結合コンデンサＣ４を介してバッファアンプ部となる増幅用トランジスタＴｒ２に接続され、水晶振動子Ｘの他端と出力結合コンデンサＣ４との間に出力インピーダンス素子Ｒ１０の一端が接続され、他端が接地され、増幅用トランジスタＴｒ２を介して出力信号を得る構成であり、出力インピーダンス素子Ｒ１０のインピーダンス値は、水晶振動子Ｘの等価直列抵抗値の３倍以上であると共に、出力結合コンデンサＣ４のインピーダンス値は出力インピーダンス素子Ｒ１０のインピーダンス値より小さい水晶発振器としている。【選択図】        図１
2018164125.tif 000002
【特許請求の範囲】
【請求項１】
水晶振動子と発振用トランジスタとを有するコルピッツ発振回路を備えた水晶発振器であって、
前記水晶振動子において、前記発振用トランジスタに接続する側とは反対側に接続するバッファアンプ部と、
前記バッファアンプ部を介して出力信号を出力する出力端子と、
前記水晶振動子と前記バッファアンプ部との間に接続された出力結合コンデンサと、
前記水晶振動子と前記出力結合コンデンサとの間に一端が接続し、他端がグランドレベルに接続されたインピーダンス素子とを備え、
前記インピーダンス素子のインピーダンス値は、前記水晶振動子の等価直列抵抗値の３倍以上であり、
前記出力結合コンデンサのインピーダンス値は、前記インピーダンス素子のインピーダンス値よりも小さいことを特徴とする水晶発振器。
【請求項２】
出力結合コンデンサの容量値は１００ｐＦ以上であることを特徴とする請求項１記載の水晶発振器。
【請求項３】
コルピッツ回路によって形成される発振ループの負荷に応じて、発振用トランジスタの負性抵抗を前記発振ループを発振可能とする値としたことを特徴とする請求項１又は２記載の水晶発振器。
【請求項４】
インピーダンス素子に直列に、前記インピーダンス素子よりもインピーダンス値の小さい別のインピーダンス素子を備えたことを特徴とする請求項１乃至３のいずれか記載の水晶発振器。
【請求項５】
インピーダンス素子の代わりに、発振周波数におけるインピーダンス値が水晶振動子の等価直列抵抗値の３倍以上となるリアクタンス素子を備えたことを特徴とする請求項１乃至４のいずれか記載の水晶発振器。
【発明の詳細な説明】
【技術分野】
【０００１】
本発明は、コルピッツ回路を備えた水晶発振器に係り、特にフロアノイズとキャリア近傍ノイズを同時に改善でき、良好な位相雑音特性を備えた水晶発振器に関する。
【背景技術】
【０００２】
［先行技術の説明：図９］
従来の水晶発振器として、一般的なコルピッツ発振器の構成について図９を用いて説明する。図９は、一般的なコルピッツ発振器の構成例を示す回路図である。
図９に示すように、従来の水晶発振器は、水晶振動子Ｘと、水晶振動子Ｘの発振周波数信号を増幅する発振用トランジスタＴｒとを備えている。
トランジスタＴｒのコレクタは電源端子１に接続され、エミッタは抵抗Ｒ１４を介して接地されている。
【０００３】
トランジスタＴｒのベースと水晶振動子Ｘとの間の点に、コンデンサＣ１１の一端が接続され、コンデンサＣ１１の他端にコンデンサＣ１２の一端が接続され、その他端が接地されている。
そして、トランジスタＴｒのエミッタは、出力端子２に接続されると共に、コンデンサＣ１１とＣ１２の間の点に接続されている。
【０００４】
また、トランジスタＴｒのベースに接続する水晶振動子Ｘの一端は、電源端子１とアースとの間に直列に接続されたバイアス用の抵抗Ｒ１１とＲ１２の接続点に接続されている。
水晶振動子Ｘの他端は、コンデンサＣ１４を介して接地されている。
【０００５】
更に、トランジスタＴｒのコレクタと電源端子１との間の点に、コンデンサＣ１３の一端が接続され、他端が接地されている。
つまり、従来の水晶発振器は、トランジスタＴｒ側から出力を取り出す構成である。
【０００６】
［フロアノイズとキャリア近傍ノイズ：図１０］
一般に、従来の水晶発振器では、水晶振動子のドライブ電流を大きくすることにより、Ｃ／Ｎを改善してホワイトノイズ（フロアノイズ）の低ノイズ化を実現していた。
しかし、ドライブ電流を大きくすると、非線形歪の影響も大きくなるため、キャリア近傍ノイズは劣化してしまう。
【０００７】
ここで、図９に示した従来の水晶発振器におけるフロアノイズとキャリア近傍ノイズの関係について図１０を用いて説明する。図１０は、従来の水晶発振器におけるフロアノイズとキャリア近傍ノイズの関係を示す説明図である。
図１０では、水晶振動子のドライブ電流を変えた場合の位相雑音特性を示している。
【０００８】
図１０に示すように、水晶振動子のドライブ電流が小さい場合には、オフセット周波数の小さい領域に相当するキャリア近傍ノイズは低減できるものの、オフセット周波数の大きい領域に相当するフロアノイズは低減できない。
反対に、水晶振動子のドライブ電流が大きい場合には、フロアノイズは低減できるが、キャリア近傍ノイズは低減できない。
このように、フロアノイズとキャリア近傍ノイズはトレードオフの関係にある。
【０００９】
［別の従来の水晶発振器（１）：図１１］
そこで、信号歪を低減し、位相雑音の低減を図るために、水晶振動子とグランド端子との間に直列にインピーダンス素子を設け、それらの間から信号電圧を取り出す水晶発振器（別の従来の水晶発振器）が考案されている（特許文献１）。ここで、出力端子は、水晶振動子において、発振用トランジスタに接続される側とは反対側に設けられている。
【００１０】
別の従来の水晶発振器について図１１を用いて説明する。図１１は、別の従来の水晶発振器の構成例を示す回路図である。
図１１に示すように、別の従来の水晶発振器は、基本的な構成は図９に示した従来の水晶発振器と同様であるが、出力端子２の位置が異なっている。図９と同様の構成部分には同一の符号を付しており、説明は省略する。
別の従来の水晶発振器では、出力端子２は、水晶振動子Ｘにおいて、トランジスタＴｒに接続される側とは反対側に、抵抗Ｒ１５を介して接続されている。
【００１１】
このような構成において、出力信号を大きくする（Ｃ／Ｎ（Carrier to Noise Ratio）を向上させる）ためには、インピーダンス素子のインピーダンス値を大きくする必要がある。
しかし、インピーダンス値を大きくすると、発振回路の負荷が大きくなって回路Ｑが低下し、発振が不安定になる。
【００１２】
特許文献１では、出力インピーダンス抵抗Ｒ１５のインピーダンス値を小さくしているが、Ｃ／Ｎの改善はできないため、ホワイトノイズ（フロアノイズ）による位相雑音特性を低減することは困難となる。
【００１３】
［別の従来の水晶発振器（２）］
また、更に別の従来の水晶発振器としては、出力部にベース接地回路を設ける構成がある（特許文献２、ＦＩＧ．２参照）。
出力部にベース接地回路を設ける構成とすることにより、出力インピーダンスを小さくしても大きな出力信号を取り出すことができるものである。
しかしながら、この構成では、発振回路にアクティブ素子が追加されることにより、位相雑音特性が劣化してしまう。
【００１４】
［位相雑音のモデル］
一般的に、発振器の回路特性から位相雑音特性を評価する方法として、Leesonのモデルがよく用いられる（非特許文献１参照）。
Leesonのモデルでは、式に含まれる回路Ｑ（負荷Ｑ）が大きいほど位相雑音特性が良好となることが示されている。
【００１５】
［負荷抵抗と位相雑音］
負荷抵抗を水晶振動子に直列に追加すると、水晶振動子の負荷Ｑが劣化することは知られている。
しかしながら、このような追加抵抗を設けたとしても、発振ループとしての回路Ｑが劣化するとは限らない。
【００１６】
つまり、インピーダンス素子は、発振ループ回路のＱの定義として一般的に用いられる、周波数−位相傾斜の値には直接関係しない。このことは、大きなインピーダンス値を持つインピーダンス素子を回路ループに挿入しても、位相雑音の劣化には直接影響しないことを意味している（非特許文献２参照）。
【００１７】
［関連技術］
尚、水晶発振器の位相雑音に関する従来技術として、実開昭５８−１７３９１５号公報（キンセキ株式会社、特許文献１）、米国特許第４２８３６９１号明細書（特許文献２）、D.B.Leeson: “A simple model of feedback oscillator noise spectrum”,Proc.IEEE,Vol.54,pp.329-330(1966)（非特許文献１）、坂元他「複数の水晶振動子を用いた発振回路におけるキャリア近傍位相雑音の検討」，電気学会論文誌Ｃ,Vol.135,No.1,pp.12-17(2014)（非特許文献２）がある。
【００１８】
非特許文献１には、増幅回路と共振器による閉ループ回路の位相雑音解析モデルが記載されている。
非特許文献２には、位相雑音特性の良し悪しを決定する回路Ｑ（負荷Ｑ）を、周波数−位相傾斜の値で決まる式で定式化することが記載されている。
【先行技術文献】
【特許文献】
【００１９】
【特許文献１】実開昭５８−１７３９１５号公報
【特許文献２】米国特許第４２８３６９１号明細書
【非特許文献】
【００２０】
【非特許文献１】D.B.Leeson: “A simple model of feedback oscillator noise spectrum”,Proc.IEEE,Vol.54,pp.329-330(1966)
【非特許文献２】坂元他「複数の水晶振動子を用いた発振回路におけるキャリア近傍位相雑音の検討」，電気学会論文誌Ｃ,Vol.135,No.1,pp.12-17(2014)
【発明の概要】
【発明が解決しようとする課題】
【００２１】
上述したように、従来の水晶発振器では、キャリア近傍ノイズとフロアノイズとがトレードオフの関係にあるため、両者を共に低減することはできず、位相雑音特性の良好な水晶発振器を実現することが困難であるという問題点があった。
【００２２】
本発明は上記実状に鑑みて為されたもので、キャリア近傍ノイズとフロアノイズとを同時に低減し、位相雑音特性の良好な水晶発振器を提供することを目的とする。
【課題を解決するための手段】
【００２３】
上記従来例の問題点を解決するための本発明は、水晶振動子と発振用トランジスタとを有するコルピッツ発振回路を備えた水晶発振器であって、水晶振動子において、発振用トランジスタに接続する側とは反対側に接続するバッファアンプ部と、バッファアンプ部を介して出力信号を出力する出力端子と、水晶振動子とバッファアンプ部との間に接続された出力結合コンデンサと、水晶振動子と出力結合コンデンサとの間に一端が接続し、他端がグランドレベルに接続されたインピーダンス素子とを備え、インピーダンス素子のインピーダンス値は、水晶振動子の等価直列抵抗値の３倍以上であり、出力結合コンデンサのインピーダンス値は、インピーダンス素子のインピーダンス値よりも小さいことを特徴としている。
【００２４】
また、本発明は、上記水晶発振器において、出力結合コンデンサの容量値は１００ｐＦ以上であることを特徴としている。
【００２５】
また、本発明は、上記水晶発振器において、コルピッツ回路によって形成される発振ループの負荷に応じて、発振用トランジスタの負性抵抗を発振ループを発振可能とする値としたことを特徴としている。
【００２６】
また、本発明は、上記水晶発振器において、インピーダンス素子に直列に、インピーダンス素子よりもインピーダンス値の小さい別のインピーダンス素子を備えたことを特徴としている。
【００２７】
また、本発明は、上記水晶発振器において、インピーダンス素子の代わりに、発振周波数におけるインピーダンス値が水晶振動子の等価直列抵抗値の３倍以上となるリアクタンス素子を備えたことを特徴としている。
【発明の効果】
【００２８】
本発明によれば、水晶振動子と発振用トランジスタとを有するコルピッツ発振回路を備えた水晶発振器であって、水晶振動子において、発振用トランジスタに接続する側とは反対側に接続するバッファアンプ部と、バッファアンプ部を介して出力信号を出力する出力端子と、水晶振動子とバッファアンプ部との間に接続された出力結合コンデンサと、水晶振動子と出力結合コンデンサとの間に一端が接続し、他端がグランドレベルに接続されたインピーダンス素子とを備え、インピーダンス素子のインピーダンス値は、水晶振動子の等価直列抵抗値の３倍以上であり、出力結合コンデンサのインピーダンス値は、インピーダンス素子のインピーダンス値よりも小さい水晶発振器としているので、インピーダンス素子と出力結合コンデンサの作用により出力レベルを増大させてフロアノイズを低減すると共に、インピーダンス素子によって水晶ドライブ電流を抑えて非線形歪を抑制して、キャリア近傍ノイズを抑制でき、良好な位相雑音特性を得ることができる効果がある。
【００２９】
また、本発明によれば、コルピッツ回路によって形成される発振ループの負荷に応じて、発振用トランジスタの負性抵抗を前記発振ループを発振可能とする値とした上記水晶発振器としているので、安定した発振動作を行うことができる効果がある。
【００３０】
また、本発明によれば、インピーダンス素子に直列に、インピーダンス素子よりもインピーダンス値の小さい別のインピーダンス素子を備えた上記水晶発振器としているので、出力インピーダンス値を適切に微調整することができ、最適な位相雑音特性とすることができる効果がある
【図面の簡単な説明】
【００３１】
【図１】本水晶発振器の構成を示す回路図である。
【図２】本水晶発振器の水晶振動子のドライブ電流特性を示す説明図である。
【図３】本水晶発振器のキャリア近傍ノイズ特性を示す説明図である。
【図４】本水晶発振器の出力レベルの特性を示す説明図である。
【図５】本水晶発振器のフロアノイズ特性を示す説明図である。
【図６】出力結合コンデンサＣ４の容量値に対する本水晶振動子の出力特性を示す説明図である。
【図７】出力結合コンデンサＣ４の容量値に対するフロアノイズ特性を示す説明図である。
【図８】本水晶発振器において、調整用インピーダンス素子を設けた構成例を示す部分回路図である。
【図９】一般的なコルピッツ発振器の構成例を示す回路図である。
【図１０】フロアノイズとキャリア近傍ノイズの関係を示す説明図である。
【図１１】別の従来の水晶発振器の構成例を示す回路図である。
【発明を実施するための形態】
【００３２】
本発明の実施の形態について図面を参照しながら説明する。
［実施の形態の概要］
本発明の実施の形態に係る水晶発振器（本水晶発振器）は、コルピッツ発振回路を備え、水晶振動子の一端が発振用トランジスタに接続され、他端が出力結合コンデンサを介してバッファアンプ部に接続され、水晶振動子の他端と出力結合コンデンサとの間の点に出力インピーダンス素子の一端が接続され、他端が接地され、バッファアンプ部を介して出力信号を得る構成であり、出力インピーダンス素子のインピーダンス値は、水晶振動子の等価直列抵抗の３倍以上とすると共に、出力結合コンデンサのインピーダンス値は、出力インピーダンス素子のインピーダンス値よりも小さいものとしており、出力インピーダンス素子のインピーダンス値を十分大きくし、且つ出力結合コンデンサのインピーダンス値を小さくすることにより、出力レベルを増大させてフロアノイズを低減すると共に、水晶ドライブ電流を抑えて、キャリア近傍ノイズを抑制できるものである。
【００３３】
［本水晶発振器の構成：図１］
本水晶発振器の構成について図１を用いて説明する。図１は、本水晶発振器の構成を示す回路図である。
図１に示すように、本水晶発振器は、コルピッツ発振器であり、水晶振動子Ｘと、発振用トランジスタＴｒ１と、増幅用トランジスタＴｒ２とを備えている。増幅用トランジスタＴｒ２は請求項におけるバッファアンプ部に相当している。
【００３４】
発振用トランジスタＴｒ１のコレクタは、抵抗Ｒ３を介して電源端子１に接続され、エミッタは、抵抗Ｒ４を介して接地されている。
また、直列接続の抵抗Ｒ１とＲ２が発振用トランジスタＴｒ１に並列に設けられ、発振用トランジスタＴｒ１のベースが、抵抗Ｒ１とＲ２の間の点に接続され、更に水晶振動子Ｘの一端に接続されている。
【００３５】
また、抵抗Ｒ２に並列に、直列接続のコンデンサＣ１とＣ２が接続され、発振用トランジスタＴｒ１のエミッタが、直列接続のコンデンサＣ３及びコイルＬ１を介して、コンデンサＣ１とＣ２の間の点に接続されている。
【００３６】
本水晶発振器の特徴として、水晶振動子Ｘの他端とグランドレベルとの間に、出力インピーダンス素子Ｒ１０が直列に接続されている。
後述するように、出力インピーダンス素子Ｒ１０のインピーダンス値は、水晶振動子の等価抵抗の３倍以上としている点が特徴となっている。
そして、水晶振動子Ｘの他端と出力インピーダンス素子Ｒ１０の間の点が、出力結合コンデンサＣ４を介して増幅用トランジスタＴｒ２のベースに接続されている。
【００３７】
増幅用トランジスタＴｒ２のコレクタには電源端子１が接続され、コレクタと電源端子１との間に、トランス１０とコンデンサＣ５の並列回路が接続されている。トランス１０の出力側には出力端子２が設けられている。
増幅用トランジスタＴｒ２のエミッタは、抵抗Ｒ７を介して接地されている。
更に、抵抗Ｒ５とＲ６の直列回路が増幅用トランジスタＴｒ２に並列に接続され、抵抗Ｒ５とＲ６の間の点が、増幅用トランジスタＴｒ２のベースに接続されている。
【００３８】
つまり、本水晶発振器は、水晶振動子Ｘの、発振用トランジスタＴｒ１に接続されていない側とグランド端子との間に、大きなインピーダンス値を持つ出力インピーダンス素子Ｒ１０を設け、水晶振動子Ｘと出力インピーダンス素子Ｒ１０との間から、出力結合コンデンサＣ４及びバッファアンプ部である増幅用トランジスタＴｒ２を介して出力信号を取り出す構成である。
【００３９】
［出力インピーダンス素子］
出力インピーダンス素子Ｒ１０は、発振ループの中に含まれるため、出力信号電圧を生み出すインピーダンスとしてだけではなく、発振ループの負荷と見ることもできる。
一般的には、発振ループの負荷が大きくなると、位相雑音特性に悪影響を及ぼすことが知られているが、上述したように、インピーダンス素子は発振ループ回路のＱを直接劣化させるものではない。
【００４０】
そこで、本水晶発振器では、出力インピーダンス素子Ｒ１０のインピーダンス値を、水晶振動子の等価直列抵抗の３倍以上となるよう十分大きい値として、大きな出力信号電圧を得られるようにしている。
出力信号電圧を増大させることにより、Ｃ／Ｎを向上させ、フロアノイズを改善させることができるものである。
【００４１】
更に、出力インピーダンス素子Ｒ１０は、発振ループの負荷としての機能により、水晶振動子Ｘのドライブ電流を低減して、水晶電流過多による水晶振動子Ｘの非線形歪を抑制することができる。
【００４２】
つまり、本水晶発振器では、出力インピーダンス素子Ｒ１０を、単なる出力インピーダンスとしてだけでなく、非線形歪抑制素子としても利用して、水晶振動子Ｘのドライブ電流（水晶電流）を低減させ、非線形歪みを抑制することにより、キャリア近傍ノイズの改善を図るものである。
【００４３】
また、出力インピーダンス素子Ｒ１０の代わりに、コンデンサ等のリアクタンス素子を用いることも可能であるが、発振周波数でのインピーダンス値が、水晶振動子Ｘの等価直列抵抗値の３倍以上のものを用いる必要がある。
【００４４】
［出力結合コンデンサ］
出力結合コンデンサＣ４は、発振回路部とバッファアンプ部（増幅用トランジスタＴｒ２）との電気的結合の強さを調整する素子である。
一般的には、出力結合コンデンサのインピーダンスを小さくすると（容量値を大きくすると）、発振部とバッファアンプ部との結合が強くなる。
これによって出力レベルが大きくなるものである。
【００４５】
つまり、本水晶発振器では、出力インピーダンス素子Ｒ１０に加えて、出力結合コンデンサＣ４の作用によっても出力レベルの増大を図り、フロアノイズを低減するものである。
本水晶発振器では、出力結合コンデンサＣ４として、出力インピーダンス素子Ｒ１０のインピーダンス値よりも小さいインピーダンス値となるものを用いている。これは、増幅用トランジスタＴｒ２を適正に動作させるためである。
【００４６】
［出力インピーダンス素子による本水晶発振器の特性：図２〜図５］
本水晶発振器において、出力インピーダンス素子Ｒ１０の抵抗値を可変した場合の各種特性について説明する。
［水晶電流特性：図２］
図２は、本水晶発振器の水晶振動子のドライブ電流特性を示す説明図である。
図２に示すように、出力インピーダンス値の増加に伴い、水晶振動子のドライブ電流は低減している。
【００４７】
［キャリア近傍ノイズ特性：図３］
図３は、本水晶発振器のキャリア近傍ノイズ特性を示す説明図である。
図３に示すように、出力インピーダンス値が増加すると、図２に示した水晶電流の低減に伴って、キャリア近傍ノイズが大幅に低減することがわかる。
【００４８】
［出力特性：図４］
図４は、本水晶発振器の出力レベルの特性を示す説明図である。
図４に示すように、出力インピーダンス値が増加すると、出力レベルが増大している。
【００４９】
［フロアノイズ特性：図５］
図５は、本水晶発振器のフロアノイズ特性を示す説明図である。
図５に示すように、出力インピーダンス値が増加すると、図４に示した出力レベルの増大に伴って、フロアノイズが低減している。
【００５０】
つまり、図３及び図５に示したように、本水晶発振器では、出力インピーダンス値が大きい（例えば１５００ohm以上の）領域において、キャリア近傍ノイズとフロアノイズの両方が十分に低減されていることがわかる。
【００５１】
このように、キャリア近傍ノイズとフロアノイズを同時に改善する特性は、従来の回路構成では見られなかった特性であり、本水晶発振器の位相雑音特性が極めて良好となることを示している。
尚、図２〜図５で示したように、小さなインピーダンス値の出力インピーダンス素子を設けた場合には、キャリア近傍ノイズ及びフロアノイズを改善する効果は十分ではない。
【００５２】
［出力結合コンデンサによる本水晶発振器の特性：図６，図７］
出力結合コンデンサＣ４の容量値（インピーダンス値）を変えた場合の各種特性について説明する。
［出力特性：図６］
図６は、出力結合コンデンサＣ４の容量値に対する本水晶振動子の出力特性を示す説明図である。
図６に示すように、出力結合コンデンサＣ４の容量値が増大すると（インピーダンス値が小さくなると）、出力レベルが増大する。尚、容量値が１００ｐＦを超えると、出力レベルはほぼ横ばいとなる。
【００５３】
［フロアノイズ特性：図７］
図７は、出力結合コンデンサＣ４の容量値に対するフロアノイズ特性を示す説明図である。図では、オフセット周波数１０kHzにおける位相雑音を示している。
一般的には、フロアノイズは出力結合コンデンサの値に大きく依存しないものとされているが、本水晶発振器においては、図７に示すように、出力結合コンデンサＣ４の容量値が増大すると（インピーダンス値が小さくなると）フロアノイズが低減している。
【００５４】
本水晶発振器では、バッファアンプ部となる増幅用トランジスタＴｒ２も発振ループの一部として機能しており、出力結合コンデンサＣ４は発振回路部とバッファアンプ部との結合の強さを調整するだけでなく、発振ループ内のインピーダンス特性にも影響を与えているためであると考えられる。
【００５５】
つまり、本水晶発振器では、図２〜５に示した出力インピーダンス素子Ｒ１０の作用に加えて、出力結合コンデンサＣ４による出力レベル増大の作用によって、フロアノイズを大幅に低減することができるものである。
【００５６】
そして、図２〜図７に示した特性を考慮すると、本水晶発振器においては、出力インピーダンス素子Ｒ１０のインピーダンス値を大きくすると共に、出力結合コンデンサＣ４のインピーダンス値を小さくすれば、位相雑音特性を効果的に改善することができることがわかる。
【００５７】
本水晶発振器では、出力結合コンデンサＣ４のインピーダンス値は、出力インピーダンス素子Ｒ１０のインピーダンス値（水晶振動子Ｘの等価直列抵抗値の３倍以上）よりも小さくしており、特に、容量値を１００ｐＦ以上とすることが望ましい。
【００５８】
更に、上述した出力インピーダンス素子Ｒ１０の水晶ドライブ電流低減の作用によってキャリア近傍ノイズを抑制することができるため、本水晶発振器では、フロアノイズとキャリアキャリア近傍ノイズを共に改善して、良好な位相雑音特性とすることができるものである。
【００５９】
［発振条件］
本水晶発振器では、水晶振動子Ｘの等価直列抵抗値の３倍以上のインピーダンス値を備えた出力インピーダンス素子Ｒ１０を発振ループ内に設けているため、発振ループが余裕を持って発振条件を満たすようにするためには、それに見合う負性抵抗を備えなければならない。
具体的には、十分な負性抵抗が得られるように発振用トランジスタＴｒ１を選択する必要があるが、その一方で、アクティブ素子であるトランジスタからはノイズが発生して位相雑音特性が劣化する。
【００６０】
そこで、出力インピーダンス素子Ｒ１０による水晶電流低減の効果と、発振用トランジスタＴｒ１によるノイズ発生とを勘案して、発振用トランジスタＴｒ１を適切に選択すると共に、出力インピーダンス素子Ｒ１０のインピーダンス値を適切に調整する。
【００６１】
これにより、本水晶発振器は、安定した発振動作を行うと共に、アクティブ素子からのノイズをできるだけ抑制しつつ、十分に水晶電流を低減して、位相雑音特性を最適化することができるものとしている。
【００６２】
［調整用インピーダンス素子：図８］
出力インピーダンスのインピーダンス値を調整するための構成について図８を用いて説明する。図８は、本水晶発振器において、調整用インピーダンス素子を設けた構成例を示す部分回路図である。
図８では、図１に示した本水晶発振器において、出力インピーダンス素子Ｒ１０に直列に、調整用インピーダンス素子Ｒ２０を設けた構成を示している。調整用インピーダンス素子Ｒ２０以外の構成部分は図１と同様であり、ここでは図示を省略している。
【００６３】
出力インピーダンス素子Ｒ１０は、基準となるインピーダンス値（水晶振動子Ｘの等価直列抵抗値の３倍以上）を備えたものであり、調整用インピーダンス素子Ｒ２０は、それよりも小さなインピーダンス値を備えたインピーダンス素子である。
調整用インピーダンス素子Ｒ２０として、可変抵抗器などの可変インピーダンス素子を配置することにより、出力インピーダンス値の微調整が可能となるものである。
【００６４】
［実施の形態の効果］
本発明の実施の形態に係る水晶発振器によれば、コルピッツ発振回路を備え、水晶振動子Ｘの一端が発振用トランジスタＴｒ１のベースに接続され、他端が出力インピーダンス素子Ｒ１０を介して接地され、水晶振動子Ｘの他端と出力インピーダンス素子Ｒ１０との間に、出力結合コンデンサＣ４を介してバッファアンプ部となる増幅用トランジスタＴｒ２が接続され、増幅用トランジスタＴｒ２を介して出力信号を得る構成であり、出力インピーダンス素子Ｒ１０のインピーダンス値は、水晶振動子Ｘの等価直列抵抗の３倍以上とすると共に、出力結合コンデンサＣ４のインピーダンス値を出力インピーダンス素子Ｒ１０のインピーダンス値よりも小さいものとしており、出力インピーダンス素子Ｒ１０のインピーダンス値を十分大きくし、出力結合コンデンサＣ４のインピーダンス値を十分小さくすることにより、出力レベルを増大させてフロアノイズを低減すると共に、発振ループ内の負荷とすることで水晶ドライブ電流を抑えて、キャリア近傍ノイズを抑制でき、フロアノイズとキャリア近傍ノイズを同時に改善して、良好な位相雑音特性とすることができる効果がある。
【００６５】
また、本水晶発振器によれば、発振ループ内の負荷となる出力インピーダンス素子Ｒ１０のインピーダンス値に応じて、十分な負性抵抗を備える発振用トランジスタＴｒ１を設けているので、発振ループを安定して発振させることができる効果がある。
【００６６】
また、本水晶発振器によれば、出力インピーダンス素子Ｒ１０に直列に、インピーダンス値が小さい調整用インピーダンス素子Ｒ２０を設けているので、出力インピーダンス値を適切に微調整することができ、最適な位相雑音特性とすることができる効果がある。
【産業上の利用可能性】
【００６７】
本発明は、特にフロアノイズとキャリア近傍ノイズを同時に改善でき、良好な位相雑音特性を備えた水晶発振器に適している。
【符号の説明】
【００６８】
１…電源端子、  ２…出力端子、  １０…トランス、  Ｘ…水晶振動子、  Ｔｒ，Ｔｒ１…発振用トランジスタ、  Ｔｒ２…増幅用トランジスタ、  Ｒ１０…出力インピーダンス素子、  Ｒ２０…調整用インピーダンス素子、  Ｒ１，Ｒ２，Ｒ３，Ｒ４，Ｒ５，Ｒ６，Ｒ７，Ｒ１１，Ｒ１２，Ｒ１４，Ｒ１５…抵抗、  Ｃ４…出力結合コンデンサ、  Ｃ１，Ｃ２，Ｃ３，Ｃ５，Ｃ１１，Ｃ１２，Ｃ１３，Ｃ１４…コンデンサ、  Ｌ１…コイル
【図１】
2018164125.tif 000003
【図２】
2018164125.tif 000004
【図３】
2018164125.tif 000005
【図４】
2018164125.tif 000006
【図５】
2018164125.tif 000007
【図６】
2018164125.tif 000008
【図７】
2018164125.tif 000009
【図８】
2018164125.tif 000010
【図９】
2018164125.tif 000011
【図１０】
2018164125.tif 000012
【図１１】
2018164125.tif 000013